(57)【要約】【課題】  リモートコントローラーを容易に把持することが出来て、電気機器の操作性に優れるリモートコントローラーを安価に提供すること。【解決手段】  キーラバーシートが、キートップが形成されるシート部と、シート部から延設した被挟持部と、被挟持部から延設したグリップ部と、で構成され、アンダーケースと、トップケースとが、キーラバーシートの被挟持部を挟持し、グリップ部が筺体の外部に露出する。【選択図】図１
2011171940.tif 000002
【特許請求の範囲】
【請求項１】
アンダーケースと、トップケースと、を組み合わせて構成する筺体と、キーラバーシートと、を備えるリモートコントローラーであって、
該キーラバーシートが、キートップが形成されるシート部と、該シート部から延設した被挟持部と、該被挟持部から延設したグリップ部と、を含み、
該アンダーケースと、該トップケースとが、該キーラバーシートの該被挟持部を挟持し、
該グリップ部が、該筺体の外部に露出する、
リモートコントローラー。
【請求項２】
前記グリップ部が、前記被挟持部の厚みよりも大きい厚みを有して形成されて該被挟持部から前記アンダーケースと前記トップケースとで構成される前記筺体の側面に沿って起立する当接部を有する、
請求項１に記載のリモートコントローラー。
【請求項３】
前記キーラバーシートが、前記グリップ部および前記被挟持部を切り欠いた切欠部を有し、前記グリップ部が、前記アンダーケースと前記トップケースとで構成される前記筺体の外部に断片状に露出する、
請求項１または２に記載のリモートコントローラー。
【発明の詳細な説明】
【技術分野】
【０００１】
本発明は、電気機器のリモートコントローラーに関する。
【背景技術】
【０００２】
従来の電気機器のリモートコントローラーには、筺体内部に液体が浸入し電気的に損傷することを防止する目的で、筺体を構成するアンダーケースとトップケースとが、筺体周部において、筺体内部に収容するキーラバーシートの周端部を挟持するリモートコントローラーがある。（特許文献１）
【０００３】
リモートコントローラーは、筺体が樹脂素材で構成されるものが多く、また、種々の形状を有するものがあるが、中でも小型の筺体で構成されるリモートコントローラーは、使用者が把持しにくいという問題があった。リモートコントローラーは、容易に把持することが出来て、且つ、掌に収まりが良く操作性に優れる構造であることが望まれる。
【０００４】
リモートコントローラーは、リモートコントローラーの筺体外部にグリップ部を備えたものがある。しかしながら、グリップ部材を別途に必要とするものであり、部品点数が増加することから製造コストを高くする原因であることが問題であった。
【先行技術文献】
【特許文献】
【０００５】
【特許文献１】実開昭６２−１８８８３４号公報
【発明の概要】
【発明が解決しようとする課題】
【０００６】
本発明は、上記の課題を解決するためになされたものであり、容易に把持することが出来て、操作性に優れるリモートコントローラーを安価に提供することにある。
【課題を解決するための手段】
【０００７】
本発明のリモートコントローラーは、アンダーケースと、トップケースと、を組み合わせて構成する筺体と、キーラバーシートと、を備え、キーラバーシートが、キートップが形成されるシート部と、シート部から延設した被挟持部と、被挟持部から延設したグリップ部と、を含み、アンダーケースと、トップケースとが、キーラバーシートの被挟持部を挟持し、グリップ部が筺体の外部に露出する。
【０００８】
好ましくは、グリップ部が、被挟持部の厚みよりも大きい厚みを有して形成されて被挟持部からアンダーケースとトップケースとで構成される筺体の側面に沿って起立する当接部を有する。
【０００９】
また好ましくは、キーラバーシートが、グリップ部および被挟持部を切り欠いた切欠部が形成され、グリップ部がアンダーケースとトップケースとで構成される筺体の外部に断片状に露出する。
【００１０】
以下、本発明の作用について説明する。
【００１１】
本発明のリモートコントローラーは、筺体がアンダーケースとトップケースとを組み合わせて構成され、筺体内部にキーラバーシートが収容されて構成される。キーラバーシートは、キートップが形成されるシート部と、シート部の周端に延設した被挟持部と、被挟持部から延設したグリップ部とが、一体に形成されている。シート部は、筺体を構成するアンダーケースおよびトップケースの内寸と略同寸の面寸法を有する。キーラバーシートが筺体に収容されると、アンダーケースとトップケースとが、キーラバーシートのシート部周端に延設した被挟持部を挟持する。被挟持部から延設したグリップ部は、リモートコントローラーの筺体の外部に露出する。
【００１２】
さらに本発明のリモートコントローラーは、キーラバーシートのグリップ部が、被挟持部の厚みよりも大きい厚みを有して形成されて、被挟持部からアンダーケースとトップケースとで構成される筺体の側面に沿って起立する当接部を有する。露出するグリップ部の厚みが大きくなることで、グリップ部の表面積を大きくすることができるので、使用者はグリップ部を介して筺体を容易に把持することができる。また、筺体の側面に沿って起立した当接部が筺体の側面に当接するので、筺体は、外部からの異物、たとえば、液体や微塵などが浸入することに対して高い保護効果を有する。
【００１３】
さらに本発明のリモートコントローラーは、キーラバーシートが、被挟持部およびグリップ部を切り欠いた切欠部を有する。これによりキーラバーシートは、複数の被挟持部ならびに複数のグリップ部が延設される。したがって、リモートコントローラーの筺体の外部には、複数のグリップ部が露出するので、リモートコントローラーの外観意匠に変化を与えることが出来る。
【発明の効果】
【００１４】
本発明によれば、リモートコントローラーの筺体外部に露出したグリップ部が、キーラバーシートのシート部と一体に形成されるので、グリップ部材を別途必要とせず安価に製造可能であり、また、筺体外部から異物の侵入を防ぐ高い保護効果を有し、使用者が容易に把持可能であって操作性に優れるリモートコントローラーを提供することが出来る。
【図面の簡単な説明】
【００１５】
【図１】本発明のリモートコントローラー１を説明する斜視図、および、分解斜視図である。
【図２】本発明のキーラバーシート５を説明する部分拡大図である。
【図３】本発明のリモートコントローラー１０を説明する斜視図、および、分解斜視図である。
【符号の説明】
【００１６】
リモートコントローラー  １、１０
筺体                    ２
アンダーケース          ３
トップケース            ４
キーラバーシート        ５、５７
キートップ              ５１
シート部                ５２
被挟持部                ５３
グリップ部              ５４、５９
当接部                  ５６
切欠部                  ６０
【発明を実施するための形態】
【００１７】
以下、本発明の好ましい実施形態によるリモートコントローラーについて説明するが、本発明はこれらの実施形態には限定されない。
【実施例１】
【００１８】
図１および図２は、本発明の好ましい実施形態によるリモートコントローラー１を説明する図である。図１（ａ）は、本発明のリモートコントローラー１の斜視図であり、図１（ｂ）は、分解斜視図である。図２は、本発明のキーラバーシート５の部分拡大図である。なお、本発明の説明に不要な内部構造は省略する。
【００１９】
本実施例のリモートコントローラー１は、アンダーケース３と、トップケース４と、を組み合わせて構成する筺体２を有する。アンダーケース３とトップケース４は、開口部を備えて略コの字形状の断面を有し、筺体２は、アンダーケース３とトップケース４の各々の開口部を対向させて構成される。筺体２の内部には、（図示しない）基板と、（図示しない）基板に接続された送信部と、（図示しない）電池と、キーラバーシート５が収容される。
【００２０】
アンダーケース３は、幅５０ｍｍ、長さ１９０ｍｍ、高さ１２ｍｍの外寸を有し、トップケース４は、幅５０ｍｍ、長さ１９０ｍｍ、高さ７．０ｍｍの外寸を有する。本実施例におけるリモートコントローラー１は、筐体２の側面に露出するキーラバーシート５のグリップ部５４を含めた外寸が、幅５４ｍｍ、長さ１９０ｍｍ、高さ２１ｍｍ（キートップ５１の高さは含まれない）である。
【００２１】
筺体２を構成するアンダーケース３と、トップケース４は、主に樹脂から構成され、本実施例の筺体２はＡＳ樹脂から構成されるが、アルミなどの金属材料で構成されていてもよい。キーラバーシート５は、弾性材料から構成され、シリコンゴム、ＮＢＲ、ＳＢＲなどの合成ゴムや、天然ゴムなどから構成されうるが、本実施例のキーラバーシート５は、シリコンゴムからなる。
【００２２】
キーラバーシート５は、キートップ５１が形成されるシート部５２と、シート部５２より延設した被挟持部５３と、被挟持部５３よりさらに延設したグリップ部５４とを含む。キートップ５１は、（図示しない）基板に配された（図示しない）スイッチを覆い、トップケース４に形成されたキーホール４１を貫通して筺体２の外部に露出する。シート部５２は、アンダーケース３およびトップケース４の内寸と略同寸法に形成され、アンダーケース３とトップケース４とで構成される筺体２の内部に収容される。本実施例の筺体２は略直方体形状を有し、シート部５２もまた略矩形状を有する。
【００２３】
キーラバーシート５は、シート部５２が、幅４４ｍｍ、長さ１８４ｍｍの大きさで、２ｍｍの厚みを有し、被挟持部５３が、幅４．４ｍｍ、長さ１６０ｍｍの大きさで、厚みがシート部５２と同じ２ｍｍの厚みを有し、グリップ部５４が、幅２．０ｍｍ、長さ１６４ｍｍ、厚みが４．０ｍｍの寸法を有して構成される。グリップ部５４は、断面形状が半円形状であり、直径４．０ｍｍの半円筒状に形成されている。
【００２４】
被挟持部５３は、略矩形状を有するシート部５２の長手周端部の一部に形成し、シート部５２と面一に形成する。さらに被挟持部５３には、係止片挿通孔５５が形成されている。係止片挿通孔５５は、後述するアンダーケース３とトップケース４とを固着する係止片部４２がキーラバーシート５を貫通するための孔である。
【００２５】
グリップ部５４は、被挟持部５３の端部より延設する。グリップ部５４の厚みは、被挟持部５３の厚みよりも大きい厚みを有する。したがって、グリップ部５４には、被挟持部５３の端部より垂直に起立する当接部５６を有する。当接部５６は、筺体２の側面に当接する。
【００２６】
グリップ部５４の厚みは、シート部５２、および、被挟持部５３の厚みよりも大きい厚みを有する。したがって、グリップ部５４には、被挟持部５３の端部より垂直方向に起立する当接部５４１を備える。グリップ部５４の厚みが４．０ｍｍであり、被挟持部５３の厚みが２．０ｍｍであるので、被挟持部５３の両面側に１．０ｍｍずつの高さを有する当接部５６が形成されている。
【００２７】
アンダーケース３と、トップケース４と、キーラバーシート５は、トップケース４と一体に形成された係止片部４２が、キーラバーシート５の被挟持部５３の係止片挿通孔５５を貫通し、アンダーケース３の係止溝部３１に係合することにより固着される。したがって、筺体２は、アンダーケース３と、トップケース４とが、キーラバーシート５の被挟持部５３を挟持し、被挟持部５３より延設されたグリップ部５４が、筺体外部に露出する構成となる。このとき、起立する当接部５６は、筐体２の側面に沿って当接している。
【００２８】
トップケース４に形成された係止片部４２は、トップケース４の開口部を規定する枠部より延設され、先端に鍵状の突起を有して形成されている。係止片部４２は、短手方向に２．５ｍｍ、長手方向に７．０ｍｍの大きさで、高さ５．０ｍｍを有する小片に、高さ１．０ｍｍの山型の突起を有して鍵状に形成されている。
【００２９】
被挟持部５３に形成された係止片挿通孔５５は、シート部５２の短手方向に３．０ｍｍ、長手方向に７．０ｍｍの大きさを有し、係止片部４２が挿通するのに充分な大きさを有する。したがって、アンダーケース３とトップケース４とは、係止片部４２が係止片挿通孔５５を挿通し、係止片部４２の突起が係止溝部３１に係合することによって固着する。
【００３０】
アンダーケース３に形成された係止溝部３１は、係止片部４２の突起が係合可能な深さを有する溝であればよく、本実施例の係止溝部３１は、アンダーケース３の内周壁から１．０ｍｍの深さを有して形成されている。
【００３１】
本実施例のリモートコントローラー１は、被挟持部５３とグリップ部５４とが、一体となって延設されたキーラバーシート５が収容されて、リモートコントローラー１の筐体２の外部にグリップ部５４が露出する構成となる。したがって、本発明によれば、グリップ部材を別途必要とせずとも容易に把持可能であり、安価に製造可能なリモートコントローラー１を提供することが出来る。また、本実施例のリモートコントローラー１は、グリップ部５４が起立した当接部５６を有して筐体２の側面に当接しているので、筐体外部からの異物の侵入に対して高い保護効果を有する。
【実施例２】
【００３２】
リモートコントローラー１０は、キーラバーシート５７を用いること以外は実施例１と同様にして構成される。図３は、本実施例におけるリモートコントローラー１０を説明する図であり、図３（ａ）は、リモートコントローラー１０の斜視図であり、図３（ｂ）は、リモートコントローラー１０の分解斜視図である。
【００３３】
キーラバーシート５７は、キートップが形成されるシート部５８と、シート部５８から延設された被挟持部５３と、被挟持部５３から延設されたグリップ部５８とを含み、被挟持部５３とグリップ部５９とを一体に切り欠いた切欠部６０を有する。キーラバーシート５７が切欠部６０を有するので、複数の被挟持部５３並びに複数のグリップ部５９が、シート部５８の長手方向に延設される。
【００３４】
本実施例においては、切欠部６０が、幅４．７ｍｍ、長さ１６．４ｍｍの寸法でシート部５７の長手方向の1辺に２箇所形成されており、グリップ部５９が、幅２．０ｍｍ、長さ３２．６ｍｍ、高さ４．０ｍｍの寸法で長手方向の１辺に３箇所形成されている。したがって、キーラバーシート５７は、長手方向の両辺に併せて４箇所の切欠部６０と、６箇所のグリップ部５９とを有する。本実施例における切欠部６０は、キーラバーシート５７に合計４箇所形成されているが、これに限られず、切欠部６０がさらに形成されてもよい。
【００３５】
アンダーケース３と、トップケース４と、キーラバーシート５７は、トップケース４と一体に形成された係止片部４２が、キーラバーシート５７の切欠部６０を通過した後、アンダーケース３に形成された係止溝部３１に係合することで固着する。このとき、アンダーケース３と、トップケース４とがキーラバーシート５７の被挟持部５３を挟持する。被挟持部５３から延設したグリップ部５９は、実施例１と同様にリモートコントローラー１０の筺体２の外部に露出する。これにより、リモートコントローラー１０は、筺体２の外部に、６箇所のグリップ部５９が断片状に露出した構成を有する。切欠部６０が形成される箇所を変更することで、筺体２の外部に露出するグリップ部５９の態様も変化するので、本実施例によれば、リモートコントローラー１０の外観意匠に変化を与えることが可能である。
【産業上の利用可能性】
【００３６】
本発明は、リモートコントローラーに限られず、アンダーケースと、トップケースと、キーラバーシートとを有して筺体を構成する、携帯電話機、卓上計算機などに利用することが可能である。
【図１】
2011171940.tif 000003
【図２】
2011171940.tif 000004
【図３】
2011171940.tif 000005